(57)【要約】【課題】  高さが低くて嵩張らず、電源ピンと電気機器の導線とを迅速、容易に、且つ、確実に接続することが可能な過負荷保護スイッチを提供すること。【解決手段】  スイッチ本体１２Ａの下部から電源ピン１５Ａ，１６Ａ，１７Ａが水平方向に延出している。電源ピン１５Ａ，１６Ａ，１７Ａがスイッチ本体１２Ａの異なる側面から延出したり、少なくとも１本の電源ピン１７Ａが、スイッチ本体１２Ａを貫通してその両側から延出することがある。電源ピンの先端部を断面略Ｕ字状としても良い。【選択図】          図４
0003103478.tif 000002
【実用新案登録請求の範囲】
【請求項１】
スイッチ本体の下部から複数の電源ピンが水平方向に延出した過負荷保護スイッチ。
【請求項２】
前記電源ピンが前記スイッチ本体の異なる側面から延出した請求項１に記載の過負荷保護スイッチ。
【請求項３】
少なくとも１本の電源ピンが、前記スイッチ本体を貫通してその両側から延出した請求項２に記載の過負荷保護スイッチ。
【請求項４】
前記電源ピンの先端部を、底面の両側から側壁が立設された断面Ｕ字状に形成した請求項１乃至３のいずれかに記載の過負荷保護スイッチ。
【考案の詳細な説明】
【技術分野】
【０００１】
本考案は、電気機器において電流の過負荷による異常昇温を防ぐ過負荷保護スイッチに関する。
【背景技術】
【０００２】
電気機器に電流の過負荷が発生すると、電気機器の温度が異常に上昇し、最悪の場合には発火する虞がある。例えば、延長コンセントに複数の電気機器のプラグを差し込んで電気を供給する場合、電気機器が高電力消費機器であると、延長コンセントが電流の過負荷を起こしやすい。
この電流の過負荷に起因する危険を回避するために、多くの延長コンセントには過負荷保護スイッチが設けられている。
一般的な過負荷保護スイッチ（特許文献１参照）は、電流が過負荷になると、自動的に回路を切断して事故の発生を防ぎ、常態では普通のスイッチと同様に随時手動で回路を入・切することができる。
【０００３】
図６に示すように、特許文献１に記載されているような従来の一般的な過負荷保護スイッチは、電源ピン７１，７２，７３がスイッチ本体７の下面から垂直に下方へ突出している。
一方、過負荷保護スイッチを延長コンセント８に設置する際には、図７及び図８に示すように、その電源ピン７１，７２，７３を、外部電源ワイヤ９１，９２及び延長コンセント８の導電端子８１，８２に達する電源ワイヤ９３，９４と溶接する。
【０００４】
ところが、上記従来の過負荷保護スイッチは、電源ピン７１，７２，７３と電源ワイヤ９１，９２，９３，９４とがほぼ直角に交差しているので、溶接を行う際に両者の位置決めが難しく、溶接に熟練を要し、不完全な溶接による接触不良も生じやすい。
また、溶接後に大きな溶接痕６が残ってしまい、特に、２本の電源ワイヤ９２，９４が溶接される電源ピン７３の溶接痕６は大きくなり、このような溶接痕６が近隣の回路に近付きすぎて、不良品が発生する心配がある。
さらに、電源ピン７１，７２，７３が垂直に延びているため、過負荷保護スイッチの高さが高くなり、この結果、過負荷保護スイッチが設置されている部分において延長コンセント８の高さを大きくしなければならず、延長ンコンセント８が嵩張って、その形状にも凹凸ができてしまう。
【０００５】
【特許文献１】米国特許第５５３９３７１号明細書
【考案の開示】
【考案が解決しようとする課題】
【０００６】
本考案が解決しようとする課題は、高さが低くて嵩張らず、電源ピンと電気機器の導線とを迅速、容易に、且つ、確実に接続することが可能な過負荷保護スイッチを提供することにある。
【課題を解決するための手段】
【０００７】
本考案の過負荷保護スイッチは、スイッチ本体の下部から複数の電源ピンが水平方向に延出して成る。
前記電源ピンが前記スイッチ本体の異なる側面から延出しても良い。
この場合、少なくとも１本の電源ピンが、前記スイッチ本体を貫通してその両側から延出することがある。
前記電源ピンの先端部を、底面の両側から側壁が立設された断面Ｕ字状に形成することができる。
【考案の効果】
【０００８】
請求項１に係る考案によれば、スイッチ全体の高さを低くすることができるため、これを装着した電気機器の高さも低くして、小型化することが可能となる。
また、電源ピンを、接続しようとする外部電源ワイヤ等の導線と平行に設置できるので、導線と電源ピンとを位置決めしやすく、両者を容易に、且つ、迅速に接続することができると共に、接触不良の発生を抑制することが可能となる。
【０００９】
請求項２に係る考案によれば、スイッチ本体の異なる側に配置された導線に対応して電源ピンを設置できるので、導線をスイッチ本体の下方にまで延長する必要が無く、電源ピンと導線との接続作業がいっそう容易となる。
請求項３に係る考案によれば、１本の電源ピンの異なる部分に導線を接続できるので、さらに接続しやすくなり、溶接によって接続しても、溶接痕が大きくなりすぎて回路に悪影響を与える心配がない。
請求項４に係る考案によれば、電源ピンの先端部に導線を嵌合してから、側壁を内側へ折り曲げて導線を挟み込むだけで、電源ピンと導線とを簡単に接続できる。
【考案を実施するための最良の形態】
【００１０】
以下、本考案の実施例を図面に基づいて詳細に説明する。
【実施例１】
【００１１】
図１〜図３は、延長コンセントの過負荷保護スイッチである実施例１を示す。
図１に示すように、過負荷保護スイッチ１は、延長コンセント２（図３）の外部に露出するボタン１１、一側面が開口したスイッチ本体１２、スイッチ本体１２内に収納された回路板１３、スイッチ本体１２の一側面を塞ぐ蓋体１４、第一電源ピン１５、第二電源ピン１６及び第三電源ピン１７を有する。
第一電源ピン１５、第二電源ピン１６及び第三電源ピン１７を除く他の各部品の構造及び機能は、従来のものとほぼ同様なので、詳細な説明は省略する。
なお、図１では、回路板１３がスイッチ本体１２内に収納されているが、実際には、第一電源ピン１５、第二電源ピン１６及び第三電源ピン１７をスイッチ本体１２に組み込んでから、回路板１３をスイッチ本体１２内に設置する。
【００１２】
電源ピン１５，１６，１７は平板状であり、第一電源ピン１５の基端部に、弾性を有する接触片１８の一端をリベット止めしてある。
接触片１８の他端には銀接点１８１を設け、第二電源ピン１６の基端部にも銀接点１６１を設ける。
そして、ボタン１１を手動で切換操作すると、接触片１８の銀接点１８１と第二電源ピン１６の銀接点１６１とが接・離し、第一電源ピン１５と第二電源ピン１６とが導通状態或いは遮断状態となる。
また、電源ピン１５，１６，１７の基端部及び接触片１８は、スイッチ本体１２の下部に差し込まれ、図２に示すように、電源ピン１５，１６，１７が、スイッチ本体１２の一側面下部から蓋体１４を通して、互いに適宜間隔をおいて水平方向に延出している。従って、過負荷保護スイッチ１の高さが低くて済む。
【００１３】
そして、過負荷保護スイッチ１を延長コンセント２の内部に配置し、一対の外部電源ワイヤをそれぞれスイッチ本体１２の両側に回して第一電源ピン１５及び第三電源ピン１７に接続し、延長コンセント２の一対の導電片に達する電源ワイヤをそれぞれ第一電源ピン１５及び第二電源ピン１６に接続する。すると、過負荷保護スイッチ１の縦方向寸法が小さいので、延長コンセント２の厚みが低減されて嵩張らない（図３参照）。
なお、接触片１８は、第一電源ピン１５にリベット止めせず、第一電源ピン１５と第二電源ピン１６との間にシーソー状に揺動するよう架設し、揺動に伴って、導通状態と遮断状態とを切り換えるようにすることも可能である。
【実施例２】
【００１４】
図４は、同じく延長コンセントの過負荷保護スイッチである実施例２を示す。
この過負荷保護スイッチ１Ａでは、第一電源ピン１５Ａが、スイッチ本体１２Ａの一側面下部の一側から水平方向に延出し、第二電源ピン１６Ａが、スイッチ本体１２Ａの他側面下部の中間部から水平方向に延出している。
また、第三電源ピン１７Ａは、第一電源ピン１５Ａ及び第二電源ピン１６Ａよりも長く形成され、スイッチ本体１２Ａの下部他側を貫通して、その両端部が両側面から水平方向に延出している。
そして、第一電源ピン１５Ａ及び第三電源ピン１７Ａの一端部にそれぞれ外部電源ワイヤ３１，３２を接続し、第二電源ピン１６Ａ及び第三電源ピン１７Ａの他端部にそれぞれ電源ワイヤ４１，４２を接続する。電源ワイヤ４１，４２は延長コンセント２の導電片２１，２２に溶接される。
【００１５】
この過負荷保護スイッチ１Ａによれば、各電源ピン１５Ａ，１６Ａ，１７Ａが電源ワイヤ３１，３２，４１，４２に対向して配置され、水平方向に突出しているので、接続作業が簡単で、電源ワイヤ３１，３２，４１，４２のいずれをもスイッチ本体１２Ａの下方をくぐらせる必要がない。
また、外部電源ワイヤ３２と電源ワイヤ４２が第三電源ピン１７Ａの両端部に接続されて、接続部を共用することがないので、溶接痕３が大きくなりすぎて回路に悪影響を与える心配がない。
その他の構成は、実施例１とほぼ同様なので、詳細な説明を省略する。
【実施例３】
【００１６】
図５は、実施例３を示す。
各電源ピン１５Ｂ，１６Ｂ，１７Ｂの先端部は、底面の両側から側壁を立設して略Ｕ字状に形成されている。
Ｕ字状に形成された電源ピン１５Ｂ，１６Ｂ，１７Ｂの先端部にそれぞれ電源ワイヤを嵌合してから、両側壁を内側へ折り曲げて電源ワイヤを挟み付けるだけで、簡単に且つ確実に電源ワイヤと電源ピン１５Ｂ，１６Ｂ，１７Ｂとを接続することができ、溶接痕も残らない。
その他の構成は、実施例１又は２と同様である。
【００１７】
なお、本考案の過負荷保護スイッチは、延長コンセントのみでなく、電流の過負荷保護が必要な他の電気機器にも搭載することが可能である。
また、電源ピンの数は、過負荷保護スイッチが設置される電気機器の種類或いは設置個所によって、２つ又は４つ以上としても良い。
【図面の簡単な説明】
【００１８】
【図１】実施例１を示す過負荷保護スイッチの分解斜視図。
【図２】実施例１を示す過負荷保護スイッチの斜視図。
【図３】実施例１に係る過負荷保護スイッチを設置した延長コンセントの縦断面図。
【図４】実施例２に係る過負荷保護スイッチを設置した延長コンセントの横断面図。
【図５】実施例３に係る電源ピンの先端部斜視図。
【図６】従来の過負荷保護スイッチの斜視図。
【図７】従来の過負荷保護スイッチを設置した延長コンセントの横断面図。
【図８】従来の過負荷保護スイッチを設置した延長コンセントの縦断面図。
【符号の説明】
【００１９】
１，１Ａ  過負荷保護スイッチ
１１  ボタン
１２，１２Ａ  スイッチ本体
１３  回路板
１４  蓋体
１５，１５Ａ，１５Ｂ  第一電源ピン
１６，１６Ａ，１６Ｂ  第二電源ピン
１６１  銀接点
１７，１７Ａ，１７Ｂ  第三電源ピン
１８  接触片
１８１  銀接点
２  延長コンセント
２１，２２  導電片
３  溶接痕
３１，３２  外部電源ワイヤ
４１，４２  電源ワイヤ
【図１】
0003103478.tif 000003
【図２】
0003103478.tif 000004
【図３】
0003103478.tif 000005
【図４】
0003103478.tif 000006
【図５】
0003103478.tif 000007
【図６】
0003103478.tif 000008
【図７】
0003103478.tif 000009
【図８】
0003103478.tif 000010